(57)【要約】      （修正有）【課題】猫等のペットが室内で充分に遊べる、ペットと人が共生できる収納家具を提供する。【解決手段】キャットタワーが無くても収納家具１にその役割を果たすステップ部材１０が付属されているので、狭い部屋でも猫等のペットの上下運動ができる。収納家具１の表面に開閉自在のステップ部材１０を、千鳥配置に備えているのでステップ部材１０を開くだけで、猫等が上下に伝わって移動し、或いはステップ部材１０に留まることもでき、室内で充分に遊べるのでストレスが緩和される。屋上部２４は高い所を好む猫等のペットが、ステップ部材１０を下方から飛び移りながら、上方に登ってきて天板２２に上がりくつろぐ場所で、猫のための爪研ぎも付いている。このステップ部材１０は猫等の上下運動に使用されるだけではなく、収納家具の使用目的と置き場所を変えれば、人間が様々に活用することもできる。【選択図】図３
0003143981.tif 000002
【実用新案登録請求の範囲】
【請求項１】
家具表面に猫等のペットが留まることが可能なステップ部材を、複数備えていることを特徴とするペットのステップ部材付き収納家具。
【請求項２】
家具表面の前側面の上下にステップ部材がある場合と、家具表面の前記前側面の左右に前記ステップ部材がある場合の、一方又は双方を備えて構成していることを特徴とする請求項１記載のペットのステップ部材付き収納家具。
【請求項３】
家具表面の左右いずれかの側面又は両側面の上下にステップ部材がある場合と、家具表面の前記左右いずれかの側面または両側面の前後に前記ステップ部材がある場合の、一方又は双方を備えて構成していることを特徴とする請求項１記載のペットのステップ部材付き収納家具。
【請求項４】
ステップ部材を連結具で取り付けることにより、前記ステップ部材が水平状態と垂直状態の間で開閉できることを特徴とする請求項１、２又は３記載のペットのステップ部材付き収納家具。
【請求項５】
ステップ部材を垂直状態にした時に、家具表面とステップ部材が固着されるようにしてあることを特徴とする請求項４記載のペットのステップ部材付き収納家具。
【請求項６】
家具に仕切られた棚を複数有し、その各棚の下には前後に進退可能なステップ部材を備えていることを特徴とする請求項１又は２記載のペットのステップ部材付き収納家具。
【請求項７】
家具の最上に有している天板より前後左右の側面が高くなっている屋上部において、猫が爪を研ぐための爪研ぎを備えていることを特徴とする請求項１、２、３、４、５又は６記載のペットのステップ部材付き収納家具。
【考案の詳細な説明】
【技術分野】
【０００１】  本考案は、ペットのステップ部材付き収納家具に関するものである。
【背景技術】
【０００２】  近年のペットブームの中で外には出さない室内飼いの猫が増えてきている。しかし、それらの猫は外に出て遊べる猫に比べて運動不足になりがちで肥満になりやすく、習性として上下運動が好きな猫はストレスがたまりやすかった。猫に多い泌尿器症候群は運動不足が原因のひとつといわれている。そこでキャットタワーなどの遊戯装置を部屋に置こうとするが、広さが必要で一人暮らしや住宅事情等により猫のためだけに部屋空間を確保することが難しい場合もあった。また猫の遊戯装置を置いても猫がいなくなった場合は、他に使い道がなく無用の長物でしかなかった。このような観点から最近ではペットと人とが共生することを前提とした家具について少数ではあるが提案がなされている。一例を示すと、収納部を階段状に分割して取り外し、猫が上下運動として利用可能なものとした収納家具が提案されている（特許文献１参照）。
【特許文献１】  特開平２００３−２６５２５４号公報
【考案の開示】
【考案が解決しようとする課題】
【０００３】  上記の特許文献１に示されているものは、以下の問題点があった。
１．目の高さか、それより上に位置する木製の箱形収納部を分割して３個以上、床に置くことは面倒で煩わしい。
２．また箱形収納部の中に物が入っている場合は、さらに重さが加わり力が必要で容易ではない。
３．階段状に分割される箱形収納部はたとえ固定具を用いたとしても、地震が起きた際には箱形収納部が落下する危険があった。
４．高い所で寝るのが好きな猫が収納部の上部で寝たときに、上部に柵が付いていないため猫が寝返りを打った際に、誤って落ちて下に物が置いてある場合ケガをする可能性がある。
本考案は、上述したような問題点を考慮してなされたものであり、猫等のペットが上下運動ができるペットのステップ部材付き収納家具を提供することを目的とする。
【課題を解決するための手段】
【０００４】  そこで、上記目的を達成すべく、本考案に係るペットのステップ部材付き収納家具は、次のような手段を採用する。【０００５】  すなわち、請求項１に記載のペットのステップ部材付き収納家具は、家具表面に猫等のペットが留まることが可能なステップ部材を、複数備えていることを特徴とする。【０００６】  請求項２に記載のペットのステップ部材付き収納家具は、家具表面の前側面の上下にステップ部材がある場合と、家具表面の前記前側面の左右に前記ステップ部材がある場合の、一方又は双方を備えて構成していることを特徴とする。【０００７】  請求項３に記載のペットのステップ部材付き収納家具は、家具表面の左右いずれか又は両側面の上下にステップ部材がある場合と、家具表面の前記左右いずれか又は前記両側面の前後に前記ステップ部材がある場合の、一方又は双方を備えて構成していることを特徴とする。【０００８】  請求項４に記載のペットのステップ部材付き収納家具は、ステップ部材を連結具で取り付けることにより、前記ステップ部材が水平状態と垂直状態の間で開閉できることを特徴とする。【０００９】  請求項５に記載のペットのステップ部材付き収納家具は、ステップ部材を垂直状態にした時に、家具表面とステップ部材が固着されていることを特徴とする。【００１０】  請求項６に記載のペットのステップ部材付き収納家具は、家具に仕切られた棚を複数有し、その各棚の下には前後に進退可能なステップ部材を備えていることを特徴とする。【００１１】  請求項７に記載のペットのステップ部材付き収納家具は、家具の最上に有している天板より前後左右の側面が高くなっている屋上部において、猫が爪を研ぐための爪研ぎを備えていることを特徴とする。
【考案の効果】
【００１２】  以上のことから、本考案の請求項１に係るペットのステップ部材付き収納家具によれば、家具表面に猫等のペットが留まることが可能なステップ部材を、複数備える構成としたので、充分な収納部が有りながら猫等のペットを上下運動させることができる。従来のようにキャットタワーを購入し、猫等のためだけに部屋空間を確保しなくてもよい。【００１３】  また、本考案の請求項２に係るペットのステップ部材付き収納家具によれば、家具表面の前側面の上下にステップ部材がある場合と、前記前側面の左右に前記ステップ部材がある場合の一方又は双方を備える構成としたので、一方の場合は登り降りしやすくなり、双方の場合は、猫等のペットが斜めに飛び移ることができるため、楽に上に登りやすく下に降りやすく、交互に上下運動ができるので、室内飼いの猫等のストレスを緩和することができる。前記前側面は広いので、ステップ部材を多数備えることができるため、遊ぶスペースをたくさん確保できる。前記ステップ部材が平面的な家具表面の前記前側面に変化をもたらせ、かえって、デザイン性を生む。【００１４】  また、本考案の請求項３に係るペットのステップ部材付き収納家具によれば、家具表面の左右いずれか又は両側面の上下にステップ部材がある場合と、前記左右いずれか又は両側面の前後に前記ステップ部材がある場合の一方又は双方を備える構成としたので、一方の場合は登り降りしやすくなり、双方の場合は猫等のペットが斜めに飛び移ることができるため、楽に上に登りやすく下に降りやすく交互に上下運動ができるので、室内飼いの猫等のストレスを緩和することができる。前記左右側面にステップ部材が付いているので、収納の邪魔にならない場所で猫等のペットを遊ばせることができる。【００１５】  また、本考案の請求項４に係るペットのステップ部材付き収納家具によれば、家具表面にステップ部材の端部を連結具により取り付けるので、簡単にステップ部材の取り付けを行うことができる。ステップ部材の取り付け後に使用する時は、ステップ部材を水平に開くだけで、猫等のペットを遊ばせることができ、使用しない時は垂直に閉じるだけで、通常の収納家具として活用できる。【００１６】  また、本考案の請求項５に係るペットのステップ部材付き収納家具によれば、ステップ部材を使用しない時は、閉じるだけで家具表面にステップ部材を保持させることができるので、通常の家具として活用できる。【００１７】  また、本考案の請求項６に係るペットのステップ部材付き収納家具によれば、家具に仕切られた棚を複数有し、その各棚の下には前後に進退可能なステップ部材を備える構成としたので、使用する時はステップ部材を千鳥配置になるように手前に引くだけで、猫等のペットを遊ばせることができ、使用しない時はステップ部材を押して元の位置に戻せばよい。【００１８】  また、本考案の請求項７に係るペットのステップ部材付き収納家具によれば、家具に有している天板より前後左右の側面が少し高くなっている屋上部において、猫が爪を研ぐための爪研ぎを備える構成としたので猫が屋上部で専用の爪研ぎを使えるため、家の柱などで爪を研いでキズをつけることが少なくなる。
【考案を実施するための最良の形態】
【００１９】  以下、図面に基づき、本考案に係るペットのステップ部材付き収納家具について詳細に説明する。図１〜図５は本考案に係る収納家具の実施の一形態を示す。【００２０】  この収納家具１は箱形の収納部２０と前側面の７，８，９とステップ部材１０を複数備えて概略構成される。【００２１】  ステップ部材１０は全体が矩形で先端角部は、人や猫がぶつかってケガをしないように円弧形になっており、猫等のペットが留まって遊ぶことが可能な大きさになっている。材質は収納家具と同様に、木材や金属材や強化プラスチック等でできており、厚みは猫等のペットが乗っても撓まず保持できる厚さである。【００２２】  ステップ部材１０を取り付ける時は、図４と図５に示すように家具表面の前側面とステップ部材１０の両方に、連結具としての蝶番１２のビス穴１２ｂにビス１３を通して止める。このようにして取り付けると、ステップ部材１０の蝶番１２の支軸１２ａが回動することによりステップ部材１０が開くと、ステップ部材１０の端面１４が家具の前側面に当たりストッパーとなり支えられ、ステップ部材１０は家具の前側面に対して水平状態に保持される。【００２３】  また図には示してないが、連結具としての蝶番１２は支軸１２ａを上にして、ステップ部材１０の端面１４と家具の前側面の両方に取り付けてもよい。このようにしてもステップ部材１０は、家具の前側面に対して水平状態に保持される。【００２４】  家具の前側面におけるステップ部材１０の配置は、図１と図３に示すように家具の前側面の７，９の下から、猫等のペットがジャンプできる位の高さにステップ部材１０を設け、前側面８には前側面７，９に設けたステップ部材１０の高さ位置とは異なる高さ位置に、段違いに取り付ける。猫等のペットが斜めに飛び移って上に登りやすく、また下に降りやすいように上下左右に複数のステップ部材１０を千鳥配置させる。ステップ部材１０の数は、横に何列あっても縦に何段あっても構わない。【００２５】  使用する時は、図５に示すようにステップ部材１０の端面１４が、家具の前側面に当たりストッパーとなり支えられ、ステップ部材１０は家具の前側面に対して水平に保持されるので、猫等のペットが乗ってもステップ部材１０は下がることがない。そして図３に示すように、上下斜めのステップ部材１０を開くだけで、猫等のペットが上下に伝わって移動し、或いはステップ部材１０に留まることもでき、狭い室内でも充分に遊べるのでストレスが緩和される。また、ステップ部材１０を開く場所により、数種類のバリエーションが楽しめる。さらに閉じた時に、ステップ部材１０の先端中央部と家具の前側面とが当たる所に、マグネット１６，１７を固着しておく。これにより使用しない時は、ステップ部材１０を閉じればマグネット１６と１７が吸着するので、ステップ部材１０は垂直状態を保ち、家具の前側面から離れることはない。【００２６】  また図面には示してないが、開いたステップ部材１０が少しの力では閉じないように、端面１４と端面１４が当たる家具の前側面にそれぞれマグネットを固着しておいてもよい。このようにすればステップ部材１０を開いた時にマグネットが吸着され、下から力を加えても動きにくい。【００２７】  このステップ部材１０は、猫等の上下運動に使用されるだけでなく、収納家具１の使用目的と置き場所を変えれば、人間が様々に活用することもできる。例えば、収納家具１をリビングに置き、本や備品入れに利用すれば、ステップ部材１０は短時間小物を置くのに便利である。【００２８】  このステップ部材１０の大きさは、例えば横の長さが２５ｃｍ、縦の長さが２０ｃｍ、厚さは１５ｃｍ位で、開いた時に上面になる方にカーペット，マット等１１が接着剤等で固着しておくことができる。これは猫等のペットが、ステップ部材１０に飛び乗った際に滑り落ちたり、家具に傷が付くのを防ぐためである。【００２９】  この収納家具１は、通常例えば高さが１７０〜２００ｃｍ、横幅が６０〜１２０ｃｍ、奥行きが３０〜７５ｃｍであるが変更は可能である。【００３０】  収納家具１の収納部２０は縦長の箱形であるが、多目的に物品を収納できるように底板２１に平行して、仕切り板を複数枚配置するか、天板２２に吊パイプを取り付け、洋服を吊るすためのハンガーを掛けられるようにしてもよい。【００３１】  図３に示すように、屋上部２４は高い所を好む猫等のペットが、ステップ部材１０を下方から飛び移りながら、上方に登ってきて天板２２に上がり、くつろぐ場所である。左右側面２，３と後側面４が、天板２２より１０ｃｍ以上、前板５が天板２２より５ｃｍ以上高くしておくことにより、猫等は寄りかかっても落下しにくくなり、囲まれていることにより箱が好きな猫は、落ち着いて眠ることができる。【００３２】  屋上部２４には猫が爪を研ぐための爪研ぎを設けるが、例えば図１，図２，図３に示すように突っ張り柱に麻縄２６を巻き付けて、天板２２と天井の間に２本、突っ張って設置させてもよい。この突っ張り柱２５は、地震が起きた時に収納家具１が倒れるのを防ぐためであり、麻縄２６は猫が爪を研ぐのに適している。天板２２の上にはカーペット等を敷いてもよい。６は収納家具１の下端部の前板である。【００３３】  図６は本考案の実施の他の形態を示すもので、収納家具の左右側面にステップ部材１０を上下、又は前後に複数備えて構成される。ステップ部材１０の形は、実施の一形態と同様だが、大きさは奥行の幅によって横幅を小さくすることができる。【００３４】  使用する時は、図６に示すように開くと猫等のペットが登り降りできる。使わない時は、閉じれば空間を有効に使用でき、家具の前側面にはステップ部材１０が全くないので、従来の収納家具として使える。【００３５】  図７，図８，図９は、ステップ部材１０の取り付け方の他の例を示すものである。図７に示すように家具の前側面に、両端部にブラケット１９ａを有するステップ部材支え具１９をビス１３で止め、ステップ部材支え具１９の両端部のブラケット１９ａの間に、ステップ部材１０をはめ込み、ヒンジ１５をヒンジ穴１９ｂに入れ取り付ける。これにより、ステップ部材１０は回動自在になり、図８，図９に示すようにステップ部材１０を開いたときに、ステップ部材１０の裏面が端部１８に当たりストッパーとなり支えられ、ステップ部材１０は家具の前側面に対して水平に保持されるので、ステップ部材１０は猫等のペットが乗っても下がることはない。ステップ部材支え具１９は厚みが��る方が、端面１８が広くなるのでステップ部材１０を支えやすい。【００３６】  また図面には示してないが開いたステップ部材１０が少しの力では閉じないように、端面１８と端面１８が当たるステップ部材１０の裏面にそれぞれマグネットを固着しておいてもよい。このようにすればステップ部材１０を開いた時にマグネットが吸着され、下から力を加えても動きにくい。【００３７】  上記図７，図８，図９に示すステップ部材１０の取り付け方を家具表面の前側面と左右側面の両方に適用することができる。【００３８】  また、ステップ部材１０を収納家具ではなく、１枚の平板に数枚取り付けた猫専用の遊戯装置であってもよい。さらに、ステップ部材１０と連結具をセットで購入できるようにして、現在使用している家具に取り付けられるようにしてもよい。【００３９】  なお、収納家具１は上記の実施の形態にのみ限定されるものではなく、ステップ部材１０を家具表面の前側面に上下方向だけ、左右方向だけに取り付けるようにしてもよく、家具表面の左右側面の前後方向だけに取り付けてもよく、様々な変形が可能である。【００４０】  図１０〜図１２は、本考案の実施の他の形態を示すものである。この収納家具１ａは、上部収納部４２と下部収納部４０から成り上部収納部４２は棚を多段に有していて、その各棚の下にそれぞれ前後に進退可能なステップ部材３０を備えて概略構成される。【００４１】  このステップ部材３０は全体が矩形で先端角部が円弧形になっており、末端角部の２ヶ所に突出部３０ａ，３０ｂが付いている。【００４２】  取り付け方は図１２に示すように保持材３５の上において、手前の左端には左端止め材３１手前の右端には右端止め材３３を、左右の側面２，３に対して平行に固着させる。そして中央には中央止め材３２を、左端止め材３１と右端止め材３３のちょうど真ん中になるように左右の側面２，３に対して平行に固着させ、さらに中央止め材の奥にも仕切り材３４を中央に左右の側面２，３に対して平行に固着させ、ステップ部材３０をはめ込む。その上に押さえ部材３６を乗せる。【００４３】  このように構成すれば、ステップ部材３０を手前に引き出した時にステップ部材突出部３０ａ，３０ｂが左端止め材３１，中央止め材３２，右端止め材，３３に引っ掛かって止まり、ステップ部材３０が前に飛び出すことはない。【００４４】  ステップ部材３０を手前に引き出した際に、突出する大きさはステップ部材３０の全体の大きさの３分の１から２分の１にすると、猫等のペットが乗り降りしても安定がよいが、それより多く引き出すようにしてもよい。【００４５】  このような構成のステップ部材３０を６〜９枚作るが、数は変更可能である。【００４６】  図１２の切断平面図の左側はステップ部材３０を手前に引き出した状態で、右側はステップ部材３０を収納した状態である。【００４７】  図１０に示すようにステップ部材３０を千鳥配置に引き出すことにより、ステップ部材付き収納家具１と同じように、キャットタワーが無くても猫等がステップ部材３０を上下交互に伝わって移動し、ステップ部材３０に留まることもでき、狭い室内でも遊べるのでストレスが緩和できる。【００４８】  このステップ部材３０の大きさは、例えば横幅が２０〜３０ｃｍ、縦幅が３０〜５０ｃｍ、厚さは１ｃｍ位で変更は可能だが、猫等のペットが飛び乗った際に滑り落ちたり家具にキズが付くのを防ぐため、上面にカーペット，マット等１１を接着剤で固着しておく。【００４９】  この収納家具１ａは、通常例えば高さが１７０〜２００ｃｍ、横幅が６０〜９０センチ奥行が３０〜６０ｃｍ位で変更は可能である。【００５０】  下部収納部４０は観音扉３７，３８があり、観音扉３８にはペットが出入り可能な開口部３９が設けられている。このようにすれば下部収納部４０をペットのトイレ室として使用でき、部屋に置くことが多かったトイレを見えないようにすることができる。【００５１】  このステップ部材３０は、猫等の上下運動に使用されるだけでなく、収納家具１ａの使用目的と置き場所を変えれば、人間が様々に活用することもできる。例えば収納家具１ａを台所に置き食品庫等に利用すれば、ステップ部材３０は配膳台の役割も可能であり、例えば収納家具１ａをリビングに置き、本や備品入れに利用すれば、ステップ部材３０は短時間小物を置くのに便利である。【００５２】  なお、収納家具１ａは上記の実施の形態にのみ限定されるものではなく、ステップ部材３０を家具の上下方向だけ、左右方向だけに取り付けるようにしてもよく、様々な変形が可能である。【００５３】  この図示形態の収納家具１，１ａは、木材や金属材や強化プラスチック等で形成することができる。収納家具１，１ａは、居室内で移動可能な独立した家具であったが、集合住宅や一戸建てなどの、建物内の適宣位置に固定された組み込み式の家具であってもよい。
【図面の簡単な説明】
【００５４】
【図１】  本考案の実施の一形態に係るペットのステップ部材付き収納家具を示した斜視図である。
【図２】  図１のＡ−Ａ方向からの切断側面図である。
【図３】  図１のペットのステップ部材付き収納家具の使用状態の一例を示した斜視図である。
【図４】  本考案の実施の一形態におけるステップ部材の取り付け状態の一例を示した斜視図である。
【図５】  図４に示すステップ部材の取り付け部を示した拡大断面図である。
【図６】  ステップ部材を右側面に配置した収納家具を示した斜視図である。
【図７】  ステップ部材の取り付け方の他の例を示した分解図である。
【図８】  図７に示したステップ部材の拡大断面図である。
【図９】  ステップ部材を図７に示した状態から開いた状態を示した斜視図である。
【図１０】  本考案の実施の他の形態に係るペットのステップ部材付き収納家具を示した斜視図である。
【図１１】  図１０のＢ−Ｂ方向からの切断側面図である。
【図１２】  図１０のＣ−Ｃ方向からの切断平面図である。
【符号の説明】
【００５５】  １，１ａ  ペットのステップ部材付き収納家具
２  右側面
３  左側面
４  後側面
５  前板
６  下端部の前板
７，８，９  前側面
１０  ステップ部材
１１  マット，カーペット
１２  蝶番（連結具）
１２ａ  支軸
１２ｂ  ビス穴
１３  ビス
１４  端面
１５  ヒンジ
１６，１７  マグネット
１８  端面
１９  ステップ部材支え具
１９ａ  ブラケット（連結具）
１９ｂ  ヒンジ穴
２０  収納部
２１  底板
２２  天板
２３  棚板
２４  屋上部
２５  突っ張り柱
２６  麻縄
２７  切りかき
３０  ステップ部材
３０ａ，３０ｂ  ステップ部材突出部
３１  左端止め材
３２  中央止め材
３３  右端止め材
３４  仕切り材
３５  保持材
３６  押さえ部材
３７  観音扉
３８  観音扉
３９  開口部
４０  下部収納部
４１  収納部仕切り材
４２  上部収納部
【図１】
0003143981.tif 000003
【図２】
0003143981.tif 000004
【図３】
0003143981.tif 000005
【図４】
0003143981.tif 000006
【図５】
0003143981.tif 000007
【図６】
0003143981.tif 000008
【図７】
0003143981.tif 000009
【図８】
0003143981.tif 000010
【図９】
0003143981.tif 000011
【図１０】
0003143981.tif 000012
【図１１】
0003143981.tif 000013
【図１２】
0003143981.tif 000014